(57)【特許請求の範囲】
【請求項１】
一方の木材の側面に取り付けられた接合金具の基部から張り出した金属板状体を、強化繊維プラスチック層を介して、他方の木材の端部に形成されたスリットに嵌合接着して二つの木材を接合することを特徴とする木材の接続構造。
【請求項２】
一方の木材の側面に取り付けられた接合金具の基部から張り出した金属板状体を、この金属板状体の外表面形状に対応する形状に形成された強化繊維プラスチックシート製型材を介して、他方の木材の端部に形成したスリットに嵌合接着して二つの木材を接合することを特徴とする木材接続構造。
【発明の詳細な説明】
【０００１】
【発明の属する技術分野】
本発明は、接合金物を使用した木材の接続構造に関し、特に、木造住宅に使用される建築木材の高強度な接続構造に関する。
【０００２】
【従来の技術】
建築木材の接続構造としては、多くの方式が知られている。しかし、近年は、木材構造材の耐震性に優れた接続構造が要求され、接合金具を利用する各種の補強連結材や補強方法が提案・開発されている。
【０００３】
上記補強方法の代表的な一例として、図３に柱材と横架材を連結する接合金具を使用した場合の模式的な斜視図を示す。
この接合金具１１の取り付けは、柱材Ａに取り付けられた断面Ｌ字状の接合金具の基部１２から張り出した四角形の金属板状体１３に、横架材Ｂの端部のスリット１４を上方からあてがい横架材Ｂの上面を打ち込んで、金属板状体１３にスリット１４を嵌合させて、柱材Ａに横架材Ｂを連結し、横架材Ｂの一方の側面からスリット１４内の金属板状体１３を貫通して他方の側面に達する貫通孔１８に、固定ピン１７を挿通させて締結固定している。
【０００４】
【発明が解決しようとする課題】
しかし、上記接合金具を使用して柱材Ａに横架材Ｂを接合した場合、上記横架材Ｂのスリットに挿入された金属板状体１３は、横架材Ｂと全面的に一体化されたものではなく、固定ピン１７によって締結一体化された、いわば部分締結であるため、地震等による揺れが生じた場合には、固定ピン１７による締結部分に応力が集中し、この部分に破損を生じると容易に断面欠損を起こし、柱材Ａから横架材Ｂが外れてしまうという難点がある。
【０００５】
金属板状体１３と横架材Ｂを一体化するため、固定ピン１７による締結に加えて、金属板状体１３の全面に接着剤を塗布して横架材Ｂのスリットに嵌入させて、横架材Ｂと接合することも考えられるが、金属と木材の接着力は弱いため、地震等による揺れによって金属板状体と横架材は容易に剥離してしまう。
そこで、上記接着力を強固にするため試作、研究を重ねた結果、金属と木のいずれにも接着力のある部材を介して、金属板状体１３を横架材Ｂのスリットに嵌合することにより、強固な接合一体化が達成されることを見出した。
したがって、本発明の課題は、木材の連結部に使用される金属製の接合金物を木材と一体化させて、木材の接合部分の耐震性を大幅に向上させることにある。
【０００６】
【課題を解決するための手段】
本発明の木材の接続構造は、一方の木材の側面に取り付けられた接合金具の基部から張り出した金属板状体を、強化繊維プラスチック層を介して、他方の木材の端部に形成されたスリットに嵌合接着した構成である。
上記強化繊維プラスチック層は、上記接合金具の金属板状体に強化繊維プラスチックシートを接着一体化した後、他方の木材のスリットに嵌合接着するようにして形成しても良く、また、上記接合金具の金属板状体の外表面形状に対応する形状に予め形成された強化繊維プラスチック製型材を、金属板状体に接着して一体状に取り付け、他方の木材の端部に形成したスリットに嵌合接着して形成しても良い。また、反対に他方の木材の端部に形成したスリットに、強化繊維プラスチック製型材を嵌入して接着固定した後、接合金具の金属板状体を嵌合接着して形成しても良い。
【０００７】
本発明の接続構造に使用される強化繊維プラスチック層に使用される強化繊維プラスチックは、強化用繊維に樹脂を含浸させたシート状のものを使用する。
このような強化用繊維としては、ガラス繊維，アルミナ繊維等のセラミックス繊維、金属繊維、カーボン繊維及びアラミド繊維，ポリエチレン繊維等の有機繊維等から選択される長尺の繊維が使用されるが、特には、ガラス繊維、カーボン繊維、アラミド繊維等が好ましい。
【０００８】
強化用繊維に含浸される樹脂としては、例えば、熱硬化性樹脂では、エポキシ樹脂，不飽和ポリエステル樹脂，エポキシアクリレート樹脂，ポリウレタン樹脂，ジアリルフタレート樹脂及びフェノール樹脂等が挙げられる。
【０００９】
請求項２の発明で使用される型材は、接合金物の金属板状体を被覆するように一体に取り付けられ、木材の接合部のスリットに嵌合させて一体化するもので、上記した強化繊維プラスチックシートを用いて金属板状体の外表面形状に対応する形状を有する硬質な型材に形成する。
【００１０】
上記金属板状体と強化繊維プラスチック層の一体化に使用される接着剤としては、エポキシ系、エポキシアクリレート系が挙げられ、また強化繊維プラスチック層と木材との一体化に使用される接着剤も上記同様のものが挙げられる。
【００１１】
【発明の実施の形態】
本発明の接続構造における一実施の形態を添付図面に基づいて説明する。
図１の（ａ）は、本発明の木材の接続構造の一例で、柱材に横架材を連結させた状態の模式的な部分斜視図であり、（ｂ）は、図１（ａ）の部分拡大斜視図である。図２は、図１（ａ）に示す、柱材と横架材の連結前の状態を示す模式的な分解斜視図である。
【００１２】
図１は、柱材に横架材を連結した状態の接続構造を示している。
柱材Ａと横架材Ｂは、図１（ｂ）に示すように、柱材Ａに取り付けられた接合金具１の金属板状体３を、横架材Ｂのスリット４に、強化繊維プラスチック層５を介して嵌合させて接合一体化している。
【００１３】
本発明の上記接続構造は、以下の手順により形成される。
図２に示すように、まず、柱材Ａに取り付けられた接合金具１の基部２から張り出した金属板状体３の両表面を、強化繊維プラスチックシート（図示せず。）で被覆状に接着一体化するか、または、金属板状体３に、金属板状体３の外表面形状に対応する形状に予め形成された強化繊維プラスチック製の型材６を接着剤を使用して取り付け一体化する。
【００１４】
次に、上記強化繊維プラスチックシート若しくは強化繊維プラスチック製型材６の表面に接着剤を塗布して、横架材Ｂの端部に形成されたスリット４を、接合金具１の金属板状体３に上方からあてがい、横架材Ｂの上面を打ち込んで、金属板状体３にスリット４を嵌合させることにより、金属板状体３と横架材Ｂはスリット４内で接着一体化される。
【００１５】
さらに、固定ピン７を、横架材Ｂの一方の側面からスリット４内の金属板状体３を貫通して他方の側面に達する貫通孔８に、挿通させて締結することにより、金属板状体３と横架材Ｂは一体状に接合され、柱材Ａと横架材Ｂは強固に連結される。
上記本発明の接続構造の説明では、柱材に横架材を接合金物を使用して取り付けた場合を例示したが、これに限定されるものではなく、柱材と土台、あるいは通し柱と土台等の接合部に使用される接合金物にも適用できる。
【００１６】
本発明の接続構造において、木材Ａに取り付けられた接合金物の基部から張り出した金属板状体に、強化繊維プラスチック製の型材を接着して取り付けることにより、上記金属板状体と型材は一体化され、さらに、型材で被覆された金属板状体を、木材Ｂの端部に形成したスリットに嵌合接着することにより、金属板状体は木材Ｂのスリット部で木材Ｂと一体化される。つまり、金属板状体と木材Ｂは、強化繊維プラスチック層を介して全面的に一体化される。
【００１７】
さらに、金属板状体と木材Ｂが一体化された状態で、木材Ｂの接合部の一側面から、上記スリット内の金属板状体を通り他側面まで貫通した孔に、固定ピンを挿通させて締結固定することにより、木材Ａと木材Ｂの接合部の強度は格段に向上する。
【００１８】
【発明の効果】
本発明の木材の接続構造によれば、接合金具を用いて木材を締結する際、接合部のスリットに嵌入させる金属板状体を、木材と強固に一体化させることができるので、接合部分の断面欠損が生じにくく、耐震性を大幅に向上させることができる。また、金属板に対し断面応力の劣る木材部の割裂防止の補強材としての強化繊維プラスチックシートの使用により、複合材として継手の強度を増大させることができる。
【図面の簡単な説明】
【図１】  （ａ）は、本発明の木材の接続構造の一例で、柱材に横架材を連結させた状態の模式的な部分断面図であり、（ｂ）は、図１（ａ）の部分拡大斜視図である。
【図２】  図１（ａ）に示す、柱材と横架材の連結前の状態を示す模式的な分解斜視図である。
【図３】  柱材と横架材を連結する接合金具を使用した従来例の接続構造を示す斜視図である。
【符号の説明】
１，１１  接合金具
２，１２  接合金具の基部
３，１３  金属板状体
４，１４  スリット
５  強化繊維プラスチック層
６  型材
７，１７  固定ピン
８，１８  貫通孔
Ａ  柱材
Ｂ  横架材
【図１】
0003958450.tif 000002
【図２】
0003958450.tif 000003
【図３】
0003958450.tif 000004